(57)【要約】      （修正有）【課題】屋外等の風の影響を受ける場所で複数の人が同じ形状の使い捨ての紙・プラスチックのコップや皿、箸等のカトラリー、スナック菓子の袋等を使用した場合に、載置物の重量が軽いにも拘らず風が吹いてもそれらが移動せず、どれが誰の物であるのかを判別を容易にすることが可能な載置板を提供する。【解決手段】本体１の一方又は両面に粘着性を有する素材２を貼り付け又は一体形成する事によって載置物４、５を粘着固定すると共に、本体１として重く、テーブル等の上で滑りにくい素材又は粘着性を有する素材とする事によって、風や不意の行動等の外部からの力によって載置物４、５が転倒及び移動する事を防止する。本体１の形状を円形、楕円形、矩形、デザインした形状等の様々な形状にする事により見た目で区別しやすくするようにして、使用者において載置物４、５が他人の物と見分け易いようにする。【選択図】図１
2016039840.tif 000002
【特許請求の範囲】
【請求項１】
平面的かつ滑りにくい素材からなる本体（１）と、前記本体の一方又は両面に粘着性を有する素材（２）を設けた載置板であって、載置物を風や不意の行動等の外部からの力によって転倒及び移動を防止する事を特徴とする載置板。
【請求項２】
前記粘着性を有する素材を一般的なコップのサイズよりも広い範囲に設ける事によってコップ（４）を置いた際でも箸（５）等のカトラリーも置ける事や、平面的な前記本体の形状によって皿（６）やスナック菓子の袋（８）等も置ける事等、載置物の種類、数量、形状が制限されにくい事を特徴とした請求項１記載の載置板。
【請求項３】
前記本体の一部を、前記本体の厚みよりも薄くして手やはさみ等で切断できる切り込み（３）を有する形状とする事によって載置物が他人の物と見分けられる事を特徴とした請求項１又は請求項２記載の載置板。
【発明の詳細な説明】
【技術分野】
【０００１】
本発明は、使い捨て等の軽量のコップ、皿、箸等のカトラリー、スナック菓子の袋等を風や不意の行動等の外部からの力によって転倒及び移動する事を防止する事、コップを置いた際には箸等のカトラリー置きとしても使用できる事、載置物が他人の物と見分けられる事を全て満たす事を目的とする転倒及び移動防止載置板に関するものである。
【背景技術】
【０００２】
屋外等の風の影響を受ける場所で使い捨て等の軽量の紙やプラスチックのコップや皿、箸等のカトラリー、スナック菓子の袋等を使用した場合、載置物の重量が軽い為に風が吹くと飛ばされてしまいやすかった。
【０００３】
文献１（実開平７−２３４８０）は、使用目的が湯飲み茶碗受け部（２）より面積が小さい掲載物を固定する為のコースターとしてしか考慮されていない事から、粘着剤の面積を超える平面的な固い材質の皿等の固定が難しいという問題があった。
文献１（実開平７−２３４８０）の本体（１）は湯のみ茶碗受け部（２）を埋め込む為の構造が必要である事から製造時に湯のみ茶碗受け部（２）を本体（１）に埋め込む行程が必要となる事から製造コストが高くなってしまうという問題があった。
文献１（実開平７−２３４８０）の滑り止め部（５）は本体（１）の上面から見た場合の面積よりも小さい面積の足状の構造となっている為に、テーブル等に接している面積が小さい事から滑り止めの効果が低いという問題と、本体（１）と滑り止め部（５）を一体化する行程が必要となる事から製造コストが高くなってしまうという問題があった。
【０００４】
文献２（特開２００２−３３０８５４）では、缶飲料等（４）を中央部が円形にカットしたポリエチレンフォーム等の素材（１）の中に置く構造の為、固定できる形状やサイズに制限があるという問題点があった。
【０００５】
また、バーベキュー、パーティー等のイベントで複数の人が使い捨て等の同じ形状の紙やプラスチックの皿やコップ、箸等のカトラリー等を使用した場合、どれが誰の物であるのかを判別する事が難しかった。
その解決方法として、文献３（特開２００９−１２５５７４）、文献４（特開２００６−２１８２６５）、文献５（特開２００２−２４８０４４）等で、本体自体の色で見分ける発明は多くあったものの、色数を増やす為には製造コストが高くなってしまうという問題点があった。
【０００６】
文献６（実開平０７−０１１９７９）、文献７（実開平０６−０１３６５２）、文献８（実開平０５−０５１１７２）、文献９（実開平０５−０５１１７１）、文献１０（登録実用新案第３１４２９６４号）、文献１１（登録実用新案第３０４３４２５号）等は、コースターが箸置きとしても使用できる構造ではあるが、コップを風や不意の行動等の外部からの力によって転倒及び移動する事を防止する事ができないという問題点があった。
【先行技術文献】
【特許文献】
【０００７】
【特許文献１】実開平７−２３４８０  転倒防止コースター
【特許文献２】特開２００２−３３０８５４  吸着機能付きコースター
【特許文献３】特開２００９−１２５５７４  ホルダー式のコースター
【特許文献４】特開２００６−２１８２６５  紙コップ等転倒防止の立体コースター
【特許文献５】特開２００２−２４８０４４  紙コップ等転倒防止の組み立て式立体コースター
【特許文献６】実開平０７−０１１９７９  飲食具置き片付きコースター
【特許文献７】実開平０６−０１３６５２  コースター
【特許文献８】実開平０５−０５１１７２  箸置き付きコースター
【特許文献９】実開平０５−０５１１７１  コースター
【特許文献１０】登録実用新案第３１４２９６４号  箸置き
【特許文献１１】登録実用新案第３０４３４２５号  箸受け付き敷物
【発明の概要】
【発明が解決しようとする課題】
【０００８】
解決しようとする問題点は、屋外等の風の影響を受ける場所で使い捨て等の軽量の紙やプラスチックのコップや皿、箸等のカトラリー、スナック菓子の袋等を使用した場合に、載置物の重量が軽い為に風が吹くと飛ばされてしまいやすい点と、バーベキュー、パーティー等のイベントで複数の人が使い捨て等の同じ形状の紙やプラスチックの皿やコップ、箸等のカトラリー等を使用した場合、どれが誰の物であるのかを判別する事が難しかった点を解決する事である。
【０００９】
また、本発明の本体（１）及び粘着性を有する素材（２）の形状の平面化によって構造を簡単にできる事、前記本体と前記粘着性を有する素材を貼り付け又は一体形成で製造する事、前記本体の切り込み（３）を切断して形状を変える事によって、より多くの異なる形状とできる事から少ない色数で製造できる事より、製造コストを抑える事である。
【課題を解決するための手段】
【００１０】
本発明の本体（１）の一方又は両面に粘着性を有する素材（２）を貼り付け又は一体形成する事によって載置物を粘着剤で固定するだけでなく、前記本体自体の重さと前記本体自体をテーブル等の上で滑りにくい素材又は前記粘着性を有する素材とする事の相乗効果で、風や不意の行動等の外部からの力によって転倒及び移動する事を防止する。
【００１１】
前記本体に前記粘着性を有する素材を一般的なコップのサイズよりも広い範囲に貼り付け又は一体形成する事により、コップ（４）を置いた際でも箸（５）等のカトラリー置きとしても使用できる様にする。
【００１２】
前記本体の色は単色もしくはデザインした模様や絵柄等で構成し、形状もエンボス加工を含めて円形、楕円形、矩形、デザインした形状等の様々な形状する事で、色、模様、絵柄、形状等の組み合わせで見た目を区別できるだけでなく、前記本体の一部を、前記本体の厚みよりも薄くして手やはさみ等で切断できる切り込み（３）を有する形状とする事により、少ない形状でも、より多くの形状にできる事から、より多くの使用者において載置物が他人の物と見分けられる様にする。
【図面の簡単な説明】
【００１３】
【図１】本発明にコップ及び箸を置いた立体図である。
【図２】本発明にコップ及び箸を置いた上面図である。
【図３】本発明にコップ及び箸を置いた側面図である。
【図４】本発明に皿を置いた側面図である。
【図５】本発明にスナック菓子の袋を貼り付け、その上に菓子が置いてある状態を示した側面図である。
【図６】本発明の両面に粘着性を有する素材を貼り付けてテーブルの上に本発明を置き、本発明の上にコップを置いた側面図である。
【図７】本発明の本体の形状をデザインした形状にして、粘着性を有する素材を線状に複数本貼り付けた上面図又は下面図である。
【図８】本発明にデザインした絵柄を配置した上に透明の粘着性を有する素材をデザインした形状にして貼り付けた上面図又は下面図である。
【図９】本発明にデザインした絵柄を配置した、粘着性を有する素材を配置していない面の上面図又は下面図である。
【図１０】本発明にデザインした絵柄をエンボス加工で成型した、粘着性を有する素材を配置していない面の上面図又は下面図である。
【図１１】本発明の切り込みを一方の面として断面形状をＶ字型にした側面図である。
【図１２】本発明の切り込みを一方の面として断面形状をＵ字型にした側面図である。
【図１３】本発明の切り込みを一方の面として断面形状を矩形にした側面図である。
【発明を実施するための形態】
【００１４】
本体（１）の側面から見た形状は、下面全面で滑りにくくする事、風がより強い状況化で本発明を複数枚重ねて使用できる様にする事、場所を取らずに重ねて保管できる事、コースターとして使用する時はコップ等の他に箸等のカトラリー等も一緒に固定できる事、皿やスナック菓子の袋等幅広い用途で使用する場合を考慮している事から、平面的である。
【００１５】
また、箸等のカトラリー等を固定する事を考慮して、箸等のカトラリー等がテーブル等に接地しない程度の厚みを持たせている。
【００１６】
前記本体の上面又は下面から見た形状は、円形、楕円形、矩形、デザインした形状等としている。
【００１７】
前記本体の材質は、テーブル等の上で滑らない様にする事を考慮してシリコンゴム、エラストマー、プラスチック、合成樹脂、天然樹脂等の滑りにくい素材として、更に本発明自体の重さにより風や不意の行動等の外部からの力によって移動しにくい程度の重さを有している。
【００１８】
一方の面又は両面には粘着性を有する素材（２）を貼り付け又は一体形成する事により載置物を固定したり、テーブル等に固定したりする。
【００１９】
一方の面に前記粘着性を有する素材を貼り付け又は一体形成して前記粘着性を有する素材を下面にすると、テーブル等に固定された一般的なコースターとしても使用できる。
【００２０】
一般的なコースターはコースターからコップを持ち上げて使用し、コップとコースターが水分等で一体化しまうというという事は欠点であるが、本発明は、前記粘着性を有する素材を上面に貼り付け又は一体形成してコップや皿を載せた場合は本発明と一体物として使用できる。
【００２１】
載置物は本発明の前記粘着性を有する素材に軽く押し付けて固定し、取り外す際は前記本体から載置物を剥がし取る。
【００２２】
前記粘着性を有する素材の側面から見た形状は、前記本体の側面から見た形状と同様の理由から平面上に貼り付け又は一体形成している。
【００２３】
前記粘着性を有する素材の上面又は下面から見た形状は、円形、楕円形、矩形、デザインした形状等としている。
【００２４】
前記粘着性を有する素材は、一般的な大きさのコップの底面の面積より大きく貼り付け又は一体形成しており、コップと一緒に箸等のカトラリーも固定できる。
【００２５】
本発明は、一般的な箸等のカトラリー等の長さより大幅に短い長さで構成している事、箸等のカトラリー等がテーブル等に接地しない程度の厚みを持たせている事、前記粘着性を有する素材を比較的弱い粘着力とする事から、前記本体と前記本体からはみ出した箸等のカトラリー等は、容易に剥がし取る事ができる。
【００２６】
前記粘着性を有する素材を貼り付ける場合は、掲載した物を固定する面を比較的弱い粘着力、前記本体に接する面を比較的強い粘着力という具合に粘着力に差を付ける事で、前記粘着性を有する素材が前記本体から外れずに載置物が固定でき、重ねて使用および保管した際にも、使用時は容易に１つずつ分ける事ができる。
【００２７】
前記粘着性を有する素材は、経済的な観点から水で洗えば粘着力が復活するシート上の素材を貼り付け又は一体形成とする事も、衛生的な観点から使い捨てる事が出来る両面に粘着性を有するシート上の素材を使用して新しいものと交換できる様にする事もできる。
【００２８】
前記本体の色は単色もしくはデザインした模様や絵柄等で構成し、形状も円形、楕円形、矩形、デザインした形状等の様々な形状する事で、色、模様、絵柄、形状等の組み合わせで見た目を区別できるだけでなく、前記本体の一部を、前記本体の厚みよりも薄くして手やはさみ等で切断できる切り込み（３）を有する形状とする事により、少ない形状でも、より多くの形状にできる事から、より多くの使用者において載置物が他人の物と見分けられる様にしている。
【００２９】
前記切り込みは、一方の面又は両面に設けている。
【００３０】
前記切り込みの断面形状は、半円型、V字型、U字型、矩形、デザインした形状等としている。
【００３１】
デザインした模様や絵柄等はラベルの貼り付け、印刷、前記本体の色を透明もしくは半透明として印刷した絵柄の埋め込み、エンボス加工等の方法で実現する。
【００３２】
前記本体の一部に穴をあける事により、デザインの一部とする事や、フック等に引っ掛けられる構造とする事もできる。
【産業上の利用可能性】
【００３３】
屋外等の風の影響を受ける場所でのバーベキュー、キャンプ、オープンカフェ、ビアガーデン、パーティー等での使用が見込まれる。
【００３４】
また、本体（１）及び粘着性を有する素材（２）に任意の色、名称、絵柄、デザインを施したり、前記本体及び前記粘着性を有する素材の形状をパソコン、スマートフォン、タブレット端末等のアプリケーションアイコンの形状にする等により、ノベリティーグッズとしての利用も見込まれる。
【符号の説明】
【００３５】
１  本体
２  粘着性を有する素材
３  切り込み
４  コップ
５  箸
６  皿
７  袋
８  菓子
９  テーブル
１０  絵柄
１１  エンボス加工
１２  穴
【図１】
2016039840.tif 000003
【図２】
2016039840.tif 000004
【図３】
2016039840.tif 000005
【図４】
2016039840.tif 000006
【図５】
2016039840.tif 000007
【図６】
2016039840.tif 000008
【図７】
2016039840.tif 000009
【図８】
2016039840.tif 000010
【図９】
2016039840.tif 000011
【図１０】
2016039840.tif 000012
【図１１】
2016039840.tif 000013
【図１２】
2016039840.tif 000014
【図１３】
2016039840.tif 000015